(57)【要約】【課題】部品点数が少なく、軽量で、開閉動作の負荷が軽減され、保守点検が容易で、信頼性の高いエレベータ敷居溝遮蔽装置を提供する。【解決手段】エレベータの戸開時に敷居溝を閉塞する巻き取り可能な遮蔽体と、遮蔽体を巻き取り巻き戻すことができるリールと、リールを巻き取り方向に偏倚して、戸開時には戸開駆動力により遮蔽体がリールから繰り出されるのを許容するが、戸閉時には遮蔽体をリールに巻き取るゼンマイばねとを備えたエレベータ敷居溝遮蔽装置。【効果】部品点数が少なく、軽量で、開閉動作の負荷が軽減され、保守点検が容易で、信頼性が高くなる。【選択図】図１
2011157183.tif 000002
【特許請求の範囲】
【請求項１】
エレベータの戸の戸開時に出入口の敷居溝内に敷設され上記敷居溝を閉塞する巻き取り可能な遮蔽体と、
上記遮蔽体を巻き取り巻き戻すことができるリールと、
上記リールを巻き取り方向に偏倚して、上記出入口の戸の戸開時には戸開駆動力により上記遮蔽体が上記リールから繰り出されるのを許容するが、戸閉時には上記遮蔽体を上記リールに巻き取るゼンマイばねとを備えたことを特徴とするエレベータ敷居溝遮蔽装置。
【請求項２】
上記リールが上記戸に設けられていて、上記遮蔽体は第１端が上記リールに連結され、第２端が上記敷居溝内に連結されていることを特徴とする請求項１に記載のエレベータ敷居溝遮蔽装置。
【請求項３】
上記リールが上記出入口設けられていて、上記遮蔽体は第１端が上記リールに連結され、第２端が上記戸に連結されていることを特徴とする請求項１に記載のエレベータ敷居溝遮蔽装置。
【請求項４】
上記遮蔽体が、連続した可撓性材料の帯状体であることを特徴とする請求項１〜３のいずれか一項に記載のエレベータ敷居溝遮蔽装置。
【請求項５】
上記敷居溝が、上記戸のガイドシューを受け入れるシュー溝と、上記シュー溝の開口部に設けられて上記遮蔽体の側縁を受け入れて保持する遮蔽体溝とを備えていることを特徴とする請求項１〜３のいずれか一項に記載のエレベータ敷居溝遮蔽装置。
【発明の詳細な説明】
【技術分野】
【０００１】
この発明はエレベータ敷居溝遮蔽装置に関するものである。
【背景技術】
【０００２】
従来、かごおよび乗場の出入口の敷居溝に異物が侵入するのを防止して、扉の開閉動作に支障がないようにするためのエレベータ敷居溝遮蔽装置が知られている。或る装置では、一方の戸の下端部にゴムベルト等からなる閉塞帯の一端部を固定するとともに、この閉塞帯を他方の戸の下端部の滑車に巻き掛けて、戸開時に敷居溝内に閉塞帯を敷設して敷設溝を閉塞するようにしてあり、また、滑車に巻き掛けられた閉塞帯の他端部には、重りを吊り下げて、閉塞帯に張力を与えるとともに、戸閉時に重りの重量により閉塞帯を戸側へ収納するようにしてある（例えば特許文献１参照）。
【０００３】
また別のエレベータ敷居溝遮蔽装置においては、敷居溝に遊嵌挿入され敷居溝を遮蔽する遮蔽帯が設けられており、この遮蔽帯は、戸の閉運動と共に敷居溝内を動いて遮蔽帯の下方に入り込む遮蔽帯リフタによって、敷居溝から押し上げられる。戸が開方向に移動すると、遮蔽帯は、遮蔽帯リフタの上方から敷居溝に再び遊嵌挿入され、敷居溝を遮蔽する（例えば特許文献２参照）。
【先行技術文献】
【特許文献】
【０００４】
【特許文献１】特開平６−５６３７７号公報
【特許文献２】特開２００２−６８６４７号公報
【発明の概要】
【発明が解決しようとする課題】
【０００５】
特許文献１記載の従来のエレベータ敷居溝遮蔽装置においては、戸開時に出入口の敷居溝内に敷設されて敷居溝を閉塞する帯状の閉塞帯が、戸に設けられた滑車に巻き掛けられて、敷居溝の全長と戸の高さのほぼ全長に亘って張り巡らされており、しかも戸側の端部には、閉塞帯に張力を与えるとともに、戸閉時に閉塞帯を戸内に収納する重りを設ける必要がある。従って長尺の閉塞帯、複数の滑車および重りを全て戸に取り付けねばならず、戸の部品点数の減少ができず、軽量化も困難であり、戸の開閉動作の負荷をより軽減し保守点検をより容易にすることが望ましい。
【０００６】
また特許文献２記載のエレベータ敷居溝遮蔽装置においては、エレベータドア内部であってドアシューの周囲に設けられ、遮蔽帯の下方に入り込み、エレベータドアの戸開閉に従って、敷居溝から遮蔽帯を追い出す遮蔽帯リフタが用いられている。しかしながら、遮蔽帯リフトを敷居溝と遮蔽帯との間に押し込むことは、遮蔽帯リフタが敷居溝あるいは遮蔽帯に噛んでしまうこともあり、実機に適用するためには確実な動作のための微妙な保守点検が要求され、信頼性を高める要求が残されている。
【０００７】
従ってこの発明の目的は、部品点数が少なく、軽量で、開閉動作の負荷が軽減され、保守点検が容易で、信頼性の高いエレベータ敷居溝遮蔽装置を提供することである。
【課題を解決するための手段】
【０００８】
この発明によれば、エレベータの戸の戸開時に出入口の敷居溝内に敷設され上記敷居溝を閉塞する巻き取り可能な遮蔽体と、上記遮蔽体を巻き取り巻き戻すことができるリールと、上記リールを巻き取り方向に偏倚して、上記出入口の戸の戸開時には戸開駆動力により上記遮蔽体が上記リールから繰り出されるのを許容するが、戸閉時には上記遮蔽体を上記リールに巻き取るゼンマイばねとを備えたことを特徴とするエレベータ敷居溝遮蔽装置が得られる。
【発明の効果】
【０００９】
この発明によれば、部品点数が少なく、軽量で、開閉動作の負荷が軽減され、保守点検が容易で、信頼性の高いエレベータ敷居溝遮蔽装置が得られる。
【図面の簡単な説明】
【００１０】
【図１】この発明のエレベータ敷居溝遮蔽装置の第１の実施の形態を示す概略側面図である。
【図２】図１の線ＩＩ−ＩＩに沿った概略断面図である。
【図３】この発明のエレベータ敷居溝遮蔽装置の第２の実施の形態を示す概略側面図である。
【図４】図３の線ＩＶ−ＩＶに沿った概略断面図である。
【発明を実施するための形態】
【００１１】
以下、この発明の実施の形態について説明する。
【００１２】
実施の形態１．
図１はこの発明のエレベータ敷居溝遮蔽装置の一実施形態を示す概略側面図であり、図２は図１の線ＩＩ−ＩＩに沿った概略断面図であり、エレベータの乗場あるいはかごの出入口１を開閉する戸２と、出入口１の敷居３との間に設けられたエレベータ敷居溝遮蔽装置４が示されている。戸２の下端にはガイドシュー５が取り付けられていて、敷居３の敷居溝６によって摺動案内されるようにしてある。
【００１３】
エレベータ敷居溝遮蔽装置４は、エレベータの戸２の戸開時に乗場あるいはかごの出入口１の敷居溝６内に敷設されて、敷居溝６を閉塞して異物が敷居溝６内に入り込まないようにする巻き取り可能な遮蔽体７と、遮蔽体７を巻き取り巻き戻すことができるリール８と、リール８を巻き取り方向（図１で反時計方向）に偏倚して、出入口１の戸２が図１で矢印Ａで示す方向に駆動される戸開時には、戸開駆動力により遮蔽体７がリール８から繰り出されるのを許容するが、戸２が図１で矢印Ｂで示す方向に駆動される戸閉時には、遮蔽体７をリール８に巻き取るゼンマイばね９とを備えている。
【００１４】
リール８は、戸２に取り付けられた軸１０の回りに回転できるように設けられていて、軸１０によって回転可能に支持された中空のドラム部分１１とドラム部分１１の外周に設けられたフランジ部１２とを持っている。ゼンマイばね９は、リール８のドラム部分１１の内部に一端が固着され、軸１０に他端が固着されていて、リール８に常に図１で反時計方向である巻き取り方向の回転駆動力の作用を与えるようにしてある。
【００１５】
遮蔽体７は、連続した可撓性材料の帯状体であって、例えば可撓性のあるゴムあるいはプラスチックなどの材料で作られている。しかしながら、巻き取り可能な遮蔽体７としてチェーン状のもの、片面に波形の凹凸を持つものなどの素材を用いることもできる。ゴム引き布を層状に重ねたもの、あるいは繊維を混ぜたもの等の複合材料を用いることもできる。遮蔽体７は、第１端１３がリール８のドラム部分１１に連結されてドラム部分１１に巻き付けられており、リール８から引き出され、敷居３の敷居溝６内に挿入されて敷居溝６に沿って延びて、第２端１４が敷居溝６の終端で止め金具１５等によって固着されて敷居溝６内に連結されている。
【００１６】
リール８から繰り出された遮蔽体７を敷居溝６内に確実に押し込むために、戸２のパネルに枢着されたレバー１６に取り付けられてばね１７によって遮蔽体７に押圧力を与える押圧ローラ１８が設けられている。
【００１７】
戸２とリール８とが戸開時に図１の状態から矢印Ａの方向に駆動されると、遮蔽体７の第２端１４が敷居溝６に固着されているために、リール８に反時計方向の回転力が掛かり、ゼンマイばね９のばね作用力に打ち勝ってリール８が回転しながら遮蔽体７を繰り出していく。繰り出された遮蔽体７は押圧ローラ１８によって敷居溝６内に押し込まれる。このように戸２の戸開動作によってゼンマイばね９が蓄勢され、同時にリール８から繰り出された遮蔽体７が敷居溝６内を遮蔽していくのである。
【００１８】
戸２の戸閉時には、戸２とリール８が矢印Ｂの方向に駆動され、リール８が、常時リール８に作用しているゼンマイばね９のばね作用力により、遮蔽体７を巻き取り、ガイドシュー５の敷居溝６内の摺動移動を妨げない。このようなエレベータ敷居溝遮蔽装置４は、乗場側にもかご側にも設けるのが望ましい。また、エレベータが例えば両開き２枚戸の場合には、図１に示すエレベータ敷居溝遮蔽装置４と左右対称な同様のエレベータ敷居溝遮蔽装置４をもう一枚の戸にも設けるなどして、出入口を開閉する全ての戸２と敷居溝６とに対応してエレベータ敷居溝遮蔽装置４を設けるのが望ましい。
【００１９】
この発明のエレベータ敷居溝遮蔽装置４によれば、部品点数が少なく、軽量で、開閉動作の負荷が軽減され、保守点検が容易で、信頼性の高いエレベータ敷居溝遮蔽装置が得られる。
【００２０】
実施の形態２．
図３および４に示すエレベータ敷居溝遮蔽装置においては、リール８が乗場あるいはかごの出入口１に設けられていて、遮蔽体７は第１端１３がリール８に連結され、第２端１４が戸２に連結されている。また、敷居溝６が、戸２のガイドシュー５を受け入れて摺動案内するシュー溝１９と、シュー溝１９の開口部に設けられて遮蔽体７の側縁を受け入れて保持する遮蔽体溝２０とを備えている。
【００２１】
リール８はブラケット２１によって敷居溝６を持つ敷居２２の下方に取り付けられていて、敷居２２にはリール８から繰り出された遮蔽体７を通すための貫通孔２３と、この貫通孔２３内に設けられて遮蔽体７を敷居溝６内に案内するプーリ２４とが設けられている。遮蔽体７は、図４に示すように敷居溝６の遮蔽体溝２０内に受け入れられていて、図１および２に示す遮蔽体７と比較して幅に対して厚さを小さくされた薄い板状態にされていて、小さく巻き取ることができるために、リール８等のエレベータ敷居溝遮蔽装置４の構成部品を小さくすることができる。遮蔽体７の第２端１４は保持金具２５によって戸２に固着されている。その他の構成は図１および２に示すものと同様である。この構成によっても、部品点数を少なくし、軽量で、開閉動作の負荷を軽減し、保守点検を容易にし、信頼性を高くすることができる。
【００２２】
以上に図示して説明したエレベータ敷居溝遮蔽装置は単なる例であって様々な変形が可能であり、またそれぞれの具体例の特徴を全てあるいは選択的に組み合わせて用いることもできる。
【産業上の利用可能性】
【００２３】
この発明はエレベータ敷居溝遮蔽装置に利用できるものである。
【符号の説明】
【００２４】
１  出入口、２  戸、３  敷居、４  エレベータ敷居溝遮蔽装置、５  ガイドシュー、６  敷居溝、７  遮蔽体、８  リール、１０  軸、１１  ドラム部分、１２  フランジ部、１３  第１端、１４  第２端、１５  止め金具、１６  レバー、１７  ばね、１８  押圧ローラ、１９  シュー溝、２０  遮蔽体溝、２１  ブラケット、２２  敷居、２３  貫通孔、２４  プーリ、２５  保持金具。
【図１】
2011157183.tif 000003
【図２】
2011157183.tif 000004
【図３】
2011157183.tif 000005
【図４】
2011157183.tif 000006